(57)【要約】      （修正有）【課題】部品点数と組立工数を削減しつつ、変換ナットの回り止めと位置決め及び高い直進性を確保することができる送りネジ機構を提供する。【解決手段】駆動源であるモータ１５と、モータ１５によって回転駆動されるスクリュー軸１６と、スクリュー軸１６に螺合する変換ナット１７と、モータ１５を固定するとともにスクリュー軸１６の先端部を回転可能に支持するブラケット１４を備える送りネジ機構５において、ブラケット１４に、変換ナット１７の移動方向に延びる互いに平行な２つの内面を有するガイド孔１４ａを形成し、ガイド孔１４ａの２つの内面に変換ナット１７の平行な外面を摺動可能に嵌合させるとともに、ガイド孔１４ａの他の内面を、変換ナット１７に当接して変換ナット１７の移動を規制するストッパとして構成する。【選択図】図３
2016218298.tif 000002
【特許請求の範囲】
【請求項１】
駆動源であるモータと、該モータによって回転駆動されるスクリュー軸と、該スクリュー軸に螺合する変換ナットと、前記モータを固定するとともに前記スクリュー軸の先端部を回転可能に支持するブラケットを備える送りネジ機構において、
前記ブラケットに、前記変換ナットの移動方向に延びる互いに平行な２つの内面を有するガイド孔を形成し、該ガイド孔の前記２つの内面に前記変換ナットの平行な外面を摺動可能に嵌合させるとともに、前記ガイド孔の他の内面を、前記変換ナットに当接して該変換ナットの移動を規制するストッパとして構成したことを特徴とする送りネジ機構。
【請求項２】
前記ガイド孔を矩形孔としたことを特徴とする請求項１記載の送りネジ機構。
【請求項３】
放電管とリフレクタを備えるフラッシュ部をケース内に移動可能に収容し、モータと該モータによって回転駆動されるスクリュー軸及び該スクリュー軸に螺合する変換ナットを備える送りネジ機構によって前記フラッシュ部を前後動させることによって可変配光を行うストロボ装置のズーム機構において、
前記送りネジ機構を請求項１又は２記載の送りネジ機構によって構成したことを特徴とするストロボ装置のズーム機構。
【発明の詳細な説明】
【技術分野】
【０００１】
本発明は、スクリュー軸に螺合する変換ナットをスクリュー軸に沿って直線移動させる送りネジ機構とこれを用いたストロボ装置のズーム機構に関するものである。
【背景技術】
【０００２】
各種装置には送りネジ機構が用いられるが、この送りネジ機構は、駆動源であるモータと、該モータによって回転駆動されるスクリュー軸と、該スクリュー軸に螺合する変換ナットと、前記モータを固定するとともに前記スクリュー軸の先端部を回転可能に支持するブラケットを含んで構成されている。斯かる送りネジ機構に関して、特許文献１には、図１２に示すものが提案されている。
【０００３】
即ち、図１２は特許文献１において提案された送りネジ機構の斜視図であり、図示の送りネジ機構１０５においては、コの字上（チャンネル状）に成形されたブラケット１１４の一端に垂直に起立する固定片１１４Ａには、駆動源であるモータ１１５が固定されている。そして、モータ１１５から水平に延びるスクリュー軸１１６の先端部は、ブラケット１１４の他端に垂直に起立する支持片１１４Ｂによって回転可能に支持されている。そして、このスクリュー軸１１６の先端部には平歯車１２０が結着されている。
【０００４】
又、上記スクリュー軸１１６には、ブロック状の変換ナット１１７が螺合しており、該変換ナット１１７には、ブラケット１１４の両端に垂直に起立する固定片１１４Ａと支持片１１４Ｂとの間に水平に架設された左右２本のガイド軸１２１が挿通している。
【０００５】
以上のように構成された送りネジ機構１０５において、モータ１１５が起動されてスクリュー軸１１６が何れかの方向に回転すると、該スクリュー軸１１６に螺合する変換ナット１１７が左右２本のガイド軸１２１に沿って直線移動する。ここで、モータ１１５の停止時に平歯車１２０を指先で回転させれば、該平歯車１２０が結着されたスクリュー軸１１６が回転するため、ステップ送り用回路を用いることなく、変換ナット１１７の位置を微調整することができる。尚、左右２本のガイド軸１２１は、変換ナット１１７の回り止めと高い直進線を確保するために設けられている。
【先行技術文献】
【特許文献】
【０００６】
【特許文献１】特開平１０−１０３４４４号公報
【発明の概要】
【発明が解決しようとする課題】
【０００７】
ところが、特許文献１において提案された図１２に示す送りネジ機構１０５においては、変換ナット１１７の回り止めと高い直進性を確保するために２本のガイド軸１２１を用いているため、部品点数が増える他、２本のガイド軸１２１のブラケット１１４への組み付けに多くの手間と時間を要するために組立工数が増え、コストアップの原因になるという問題がある。
【０００８】
ところで、ズーム機能を備えるカメラに用いられるストロボ装置は、カメラに連動してズーム位置を前後に移動させてフラッシュ光の配光（明るさと広がり）を可変とするためのズーム機構が設けられているが、このズーム機構にも送りネジ機構が設けられている。
【０００９】
従って、本発明の目的とする処は、部品点数と組立工数を削減しつつ、変換ナットの回り止めと位置決め及び高い直進性を確保することができる送りネジ機構とこれを用いたストロボ装置のズーム機構を提供することにある。
【課題を解決するための手段】
【００１０】
上記目的を達成するため、請求項１記載の発明は、駆動源であるモータと、該モータによって回転駆動されるスクリュー軸と、該スクリュー軸に螺合する変換ナットと、前記モータを固定するとともに前記スクリュー軸の先端部を回転可能に支持するブラケットを備える送りネジ機構において、前記ブラケットに、前記変換ナットの移動方向に延びる互いに平行な２つの内面を有するガイド孔を形成し、該ガイド孔の前記２つの内面に前記変換ナットの平行な外面を摺動可能に嵌合させるとともに、前記ガイド孔の他の内面を、前記変換ナットに当接して該変換ナットの移動を規制するストッパとして構成したことを特徴とする。
【００１１】
請求項２記載の発明は、請求項１記載の発明において、前記ガイド孔を矩形孔としたことを特徴とする。
【００１２】
請求項３記載の発明は、放電管とリフレクタを備えるフラッシュ部をケース内に移動可能に収容し、モータと該モータによって回転駆動されるスクリュー軸及び該スクリュー軸に螺合する変換ナットを備える送りネジ機構によって前記フラッシュ部を前後動させることによって可変配光を行うストロボ装置のズーム機構において、前記送りネジ機構を請求項１又は２記載の送りネジ機構によって構成したことを特徴とする。
【発明の効果】
【００１３】
請求項１及び２記載の発明によれば、変換ナットは、その平行な外面がブラケットに形成されたガイド孔の平行な２つの内面に摺動可能に嵌合するため、該変換ナットがブラケットのガイド孔に沿って直進移動するとともに、その回り止めがなされるために該変換ナットが確実に直線移動する。又、変換ナットの平方な外面がブラケットのガイド孔の内面に嵌合することによって該変換ナットが高精度に位置決めされる。更に、ブラケットのガイド孔の他の内面が変換ナットに当接してその移動を規制するストッパとして機能するため、変換ナットの移動限が規制される。
【００１４】
以上のように、ブラケットに形成されたガイド孔が変換ナットのガイド機能と位置決め機能及びストッパ機能を果たすため、変換ナットをガイドするためのガイド軸等の別部品を要することなく、変換ナットの回り止めと位置決め及び高い直進性を確保することができ、部品点数や組立工数を削減して当該送りネジ機構のコストダウンを図ることができる。
【００１５】
請求項３記載の発明によれば、ストロボ装置のズーム機構に備えられるフラッシュ部と送りネジ機構の変換ナットとを連結し、モータを起動してスクリュー軸を回転させれば、該スクリュー軸に螺合する変換ナットがブラケットのガイド孔に沿って前後動するため、該変換ナットに連結されたフラッシュ部も一体的に前後動してストロボ光の可変配光が可能となる。この場合、フラッシュ部を前後動させる送りネジ機構においては、変換ナットの高い直進性が確保されるため、フラッシュ部の前後動によるストロボ光の可変配光が高精度に安定的になされる。又、送りネジ機構の部品点数と組立工数の削減によるコストダウンに伴ってズーム機構、延いてはこのズーム機構を備えるストロボ装置のコストダウンを図ることができる。
【図面の簡単な説明】
【００１６】
【図１】本発明に係る送りネジ機構を備えるストロボ装置の斜視図である。
【図２】本発明に係る送りネジ機構を備えるズーム機構の分解側面図である。
【図３】本発明に係る送りネジ機構を備えるズーム機構の正面側分解斜視図である。
【図４】本発明に係る送りネジ機構を備えるズーム機構の背面側分解斜視図である。
【図５】本発明に係る送りネジ機構を備えるズーム機構の斜視図である。
【図６】本発明に係る送りネジ機構を備えるズーム機構の正面図である。
【図７】図６のＡ−Ａ線断面図である。
【図８】本発明に係る送りネジ機構を備えるズーム機構の側面図である。
【図９】図８のＢ−Ｂ線断面図である。
【図１０】本発明に係る送りネジ機構を備えるズーム機構の背面図である。
【図１１】図１０のＣ−Ｃ線断面図である。
【図１２】特許文献１において提案された送りネジ機構の斜視図である。
【発明を実施するための形態】
【００１７】
以下に本発明の実施の形態を添付図面に基づいて説明する。
【００１８】
図１は本発明に係る送りネジ機構を備えるストロボ装置の斜視図、図２は同ストロボ装置のズーム機構の分解側面図、図３は同ズーム機構の正面側分解斜視図、図４は同ズーム機構の背面側分解斜視図、図５は同ズーム機構の斜視図、図６は同ズーム機構の正面図、図７は図６のＡ−Ａ線断面図、図８は同ズーム機構の側面図、図９は図８のＢ−Ｂ線断面図。図１０は同ズーム機構の背面図、図１１は図１０のＣ−Ｃ線断面図である。
【００１９】
図１に示すストロボ装置１は、夜間や雨天時等のように周囲が暗い環境下においてストロボ光を被写体に向けて照射するためのものであって、カメラに連動して可変配光を行うためのズーム機構を備えている。このストロボ装置１は、ハウジング２内に、図２〜図４に示すように、光源部であるフラッシュ部３と、該フラッシュ部３を前後動可能に収容するモータケース４と、該モータケース４の上部に取り付けられた送りネジ機構５を収容して構成されている。
【００２０】
上記フラッシュ部３は、図２に示すように、細長い丸棒状の放電管（Ｘｅ管）６と、該放電管６から出射するストロボ光を被写体に向けて反射させるリフレクタ７と、これらの放電管６とリフレクタ７を収容するフラッシュケース８を含んで構成されている。尚、リフレクタ７とフラッシュケース８は、樹脂にて一体成形されており、リフレクタ７の内面の反射面にはアルミ蒸着等の反射処理が施されている。
【００２１】
上記フラッシュケース８は、前面が開口する矩形ボックス状の部材であって、その上面の幅方向中央には、図３及び図４に示すように、横方向に細長い矩形平板状のスライド板９がその左右をネジ１０によって締結されることによって取り付けられている。このスライド板９は、板金製であって、その中央部には横方向に細長い矩形の嵌合孔９ａが形成されている。尚、スライド板９の左右両端縁は、フラッシュケース８の上面の取付部８Ａより左右に幾分突出しており、左右の突出部の下方のフラッシュケース８の上面には、互いに平行なリブ８ａが前後方向に沿ってそれぞれ一体に突設されている。
【００２２】
又、図２及び図４に示すように、フラッシュケース８の背面の一側部には、縦方向に起立する矩形平板状のセンサ感知リブ１１が後方に向かって水平に突設されており、このセンサ感知リブ１１の横には、位置決めリブ１２が同じく後方に向かって水平に突設されている。
【００２３】
以上のように構成されたフラッシュ部３は、前述のようにモータケース４内に前後動可能に収容されるが、モータケース４は、図３及び図４に示すように、前面と上面が開口する矩形ボックス状の部材であって、その上面開口部の周縁には矩形枠４Ａが一体に形成されている。そして、この矩形枠４Ａの左右両側部の前後２箇所にはボス４ａがそれぞれ一体に形成されており、各前側のボス４ａの横には位置決めピン４ｂがそれぞれ一体に立設されている。又、モータケース４の後壁の幅方向中央上端には、上方が開口する半円状の嵌合孔４ｃが形成されている。更に、図４に示すように、モータケース４の背面の一側部（フラッシュケース８の前記センサ感知リブ１１に対応する箇所）には、縦方向に細長いスリット状の貫通孔４ｄが形成されており、モータケース４の背面の貫通孔４ｄの周囲には、フラッシュケース８のセンサ感知リブ１１の貫通孔４ｄへの貫通を光学的に検知するためのＰＩ（フォトインタラプタ）センサ１３が取り付けられている。
【００２４】
又、モータケース４の内部の上部左右には、図３、図４及び図９に示すように、断面Ｌ字状のガイドレール４ｅが互いに平行に前後方向に沿って一体に形成されている。
【００２５】
本発明に係る前記送りネジ機構５は、板金製のブラケット１４に、駆動源であるモータ１５と、該モータ１５によって回転駆動されるスクリュー軸１６と、該スクリュー軸１６に進退可能に螺合する変換ナット１７によって構成されている。ここで、モータ１５にはステッピングモータが使用されており、このモータ１５は、ブラケット１４の後端の幅方向中央に下方に向かって直角に折り曲げられることによって形成された取付片１４Ａに固定されている。又、ブラケット１４の前端部には、垂直下方に折り曲げられた支持片１４Ｂが形成されており、モータ１５から水平に前方に延びるスクリュー軸１６の前端部は、ブラケット１４の支持片１４Ｂに固定された軸受１８によって回転可能に支持されている。
【００２６】
更に、図３及び図４に示すように、ブラケット１４の幅方向中央には、前後方向に長い矩形のガイド孔１４ａが形成されており、ブラケット１４の左右両端部の前後２箇所（モータケース４のボス４ａに対応する２箇所）には円孔状のネジ挿通孔１４ｂがそれぞれ形成されている。そして、ブラケット１４の各前側のネジ挿通孔１４ｂの横（モータケース４の位置決めピン４ｂに対応する箇所）には、円孔状の位置決め孔１４ｃがそれぞれ形成されている。
【００２７】
ところで、前記変換ナット１７の上部の幅方向中央部は、図９に示すように、幅の狭いガイド突起１７ａが突設されており、このガイド突起１７ａの左右の外面は、ブラケット１４に形成された前記ガイド孔１４ａの左右の内面（変換ナット１７の移動方向に沿って前後方向に平行に延びる左右の長辺側の内面）に摺動可能に嵌合している。そして、ブラケット１４の矩形のガイド孔１４ａの左右の内面以外の短辺側の前後２つの内面は、これに変換ナット１７が当接することによって該変換ナット１７の前後の移動を規制するストッパとしての機能を有している。
【００２８】
ここで、以上のように構成されたズーム機構の組立要領について説明する。
【００２９】
即ち、先ず、図２〜図４に示すように上面にスライド板９が取り付けられたフラッシュ部３をモータケース４の前面開口部から内部に収容するが、このとき、スライド板９の左右両端縁を図９に示すようにモータケース４の左右のガイドレール４ｅ上に載せ、フラッシュ部３をモータケース４内の奥側へと押し込む。すると、スライド板９の両端縁が、図９に示すように、左右のガイドレール４ｅとフラッシュケース８の上面に突設された左右のリブ８ａによって挟持されるため、フラッシュ部３は、モータケース４内で左右のガイドレール４ｅに沿って前後に移動することができる。
【００３０】
上述のようにフラッシュ部３がモータケース４内に前後動可能に収容されると、次に、送りネジ機構５をモータケース４の上面開口部を覆うように上方から被せ、該送りネジ機構５のブラケット１４の左右に形成された位置決め孔１４ｃにモータケース４の上面に立設された左右の位置決めピン４ｂをそれぞれ嵌合させる。すると、送りネジ機構５がモータケース４に対して正確に位置きめされるとともに、モータ１５の下半部がモータケース４の嵌合孔４ｃに嵌め込まれ、更には変換ナット１７がスライド板９の嵌合孔９ａに嵌合する（図７及び図９参照）。このため、変換ナット１７とフラッシュ部３とが連結され、両者が一体的に前後動することができる。
【００３１】
そして、最後に送りネジ機構５のブラケット１４の左右に形成された各２つのネジ挿通孔１４ｂ（図３及び図４参照）にネジ１９（図５参照）をそれぞれ通し、これらのネジ１９をモータケース４の上面に立設された各ボス４ａにねじ込めば、図５に示すように送りネジ駆動５がモータケース４の上部に取り付けられてズーム機構が組み立てられる。
【００３２】
以上のように、本発明に係るズーム機構の組み立てにおいては、フラッシュ部３を、これに取り付けられたスライド板９の左右両端縁をモータケース４の内面の左右に形成されたガイドレール４ｅに嵌合させて該フラッシュ部３をモータケース４内に前後動可能に収容した後、送りネジ機構５をモータケース４に取り付けて該送りネジ機構５の変換ナット１７をスライド板９の嵌合孔９ａに嵌合させることによって、ズーム機構を作業性良く簡単に組み立てることができる。
【００３３】
次に、本発明に係るズーム機構の作用について説明する。
【００３４】
カメラのズーム機能に連動して送りネジ機構５のモータ１５が起動されると、該モータ１５が正転又は逆転してスクリュー軸１６が何れかの方向に回転する。すると、スクリュー軸１６に螺合する変換ナット１７がスクリュー軸１６及びブラケット１４のガイド孔１４ａに沿って前後動するため、該変換ナット１７に連結されたフラッシュ部３がモータケース４の左右のガイドレール４ｅに沿ってモータケース４内で前後動する。このため、フラッシュ部３の放電管６から出射するストロボ光の配光がカメラの状態に応じて可変される。
【００３５】
ところで、本実施の形態では、フラッシュ部３の背面に突設された位置決めリブ１２がモータケース４の後壁内面に突き当たったときにフラッシュ部３が初期位置又は基準位置に位置するように設定されている。そして、このようにフラッシュ部３が初期位置又は基準位置に位置しているときには、図１１に示すように、フラッシュ部３の背面に突設されたセンサ感知リブ１１がモータケース４の背面に形成された貫通孔４ｄを貫通するため、貫通孔４ｄの周囲に配置されたＰＩセンサ１３がセンサ感知リブ１１を光学的に検知する。従って、ＰＩセンサ１３がセンサ感知リブ１１を検知した時点でフラッシュ部３が初期位置又は基準位置にあることが検出され、この初期位置又は基準位置を起点としてモータ１５のステップ数によってフラッシュ部３の位置が高精度に検出される。
【００３６】
而して、本実施の形態のように、ストロボ装置１のズーム機構に用いられる送りネジ機構５においては、変換ナット１７は、そのガイド突起１７ａの左右の平行な外面がブラケット１４に形成されたガイド孔１４ａの平行な左右２つの内面に摺動可能に嵌合するため、該変換ナット１７がブラケット１４のガイド孔１４ａに沿って直進移動するとともに、その回り止めがなされるために該変換ナット１７が確実に直線移動する。又、変換ナット１７のガイド突起１７ａの平方ナ左右の外面がブラケット１４のガイド孔１４ａの左右の内面に嵌合することによって該変換ナット１７が高精度に位置決めされる。更に、ブラケット１４のガイド孔１４ａの他の前後端の内面が変換ナット１７に当接してその移動を規制するストッパとして機能するため、変換ナット１７の前後方向の移動が規制される。これにより、変換ナット１７がその移動範囲を容易に限定されるため、モータ（ステッピングモータ）１５の初期化動作における初期位置を容易且つ高精度に定義することが可能となる。
【００３７】
以上のように、ブラケット１４に形成されたガイド孔１４ａが変換ナット１７のガイド機能と位置決め機能及びストッパ機能を果たすため、変換ナット１７をガイドするためのガイド軸等の別部品を要することなく、変換ナット１７の回り止めと位置決め及び高い直進性を確保することができであるとともに、本構成のブラケット１４は板金のプレス加工により得る事が可能であり、部品点数や組立工数を削減して当該送りネジ機構５のコストダウンを図ることができる。
【００３８】
又、本実施の形態では、ストロボ装置１のズーム機構に本発明に係る送りネジ機構５を使用し、フラッシュ部３と送りネジ機構５の変換ナット１７とを連結し、モータ１５を起動してスクリュー軸１６を回転させれば、該スクリュー軸１６に螺合する変換ナット１７がブラケット１４のガイド孔１４ａに沿って前後動するため、該変換ナット１７に連結されたフラッシュ部３も一体的に前後動してストロボ光の可変配光が可能となる。この場合、フラッシュ部３を前後動させる送りネジ機構５においては、変換ナット１７の高い直進性が確保されるため、フラッシュ部３の前後動によるストロボ光の可変配光が高精度に安定的になされる。
【００３９】
又、送りネジ機構５の部品点数と組立工数の削減によるコストダウンに伴ってズーム機構、延いてはこのズーム機構を備えるストロボ装置１のコストダウンを図ることができるという効果が得られる。
【符号の説明】
【００４０】
１        ストロボ装置
２        ハウジング
３        フラッシュ部
４        モータケース（ケース）
５        送りネジ機構
６        放電管
７        リフレクタ
８        フラッシュケース
９        スライド板
１０      ネジ
１１      センサ感知リブ
１２      位置決めリブ
１３      ＰＩセンサ
１４      ブラケット
１４ａ    ブラケットのガイド孔
１５      モータ
１６      スクリュー軸
１７      変換ナット
１７ａ    変換ナットのガイド突起
１８      軸受
１９      ネジ
【図１】
2016218298.tif 000003
【図２】
2016218298.tif 000004
【図３】
2016218298.tif 000005
【図４】
2016218298.tif 000006
【図５】
2016218298.tif 000007
【図６】
2016218298.tif 000008
【図７】
2016218298.tif 000009
【図８】
2016218298.tif 000010
【図９】
2016218298.tif 000011
【図１０】
2016218298.tif 000012
【図１１】
2016218298.tif 000013
【図１２】
2016218298.tif 000014